(57)【要約】      （修正有）【課題】プルタブを引っ張りジッパーを閉じるときに生じるスライダー本体の回転を低減し、ライナーファブリックのひっかかりを押さえたスライダーを提供する。【解決手段】スライダー本体２０４であって、スライダー本体は、スライダーキャップ２０１に連結された上プレート２０９と、底プレート２０８と、上プレート及び底プレートに連結されたプレート結合部２３２と、上プレートと底プレートとの間に配置され、長さを有する接合部分とを備え、スライダーキャップは、接合部分の長さの１５０％に等しい又はそれよりも大きい長さを有する。【選択図】図５ａ
2014057881.tif 000002
【特許請求の範囲】
【請求項１】
スライダー本体であって、
スライダー本体は、
スライダーキャップに連結された上プレートと、
底プレートと、
上プレート及び底プレートに連結されたプレート結合部と、
上プレートと底プレートとの間に配置され、長さを有する接合部分とを備え、
スライダーキャップは、接合部分の長さの１５０％に等しい又はそれよりも大きい長さ
を有する、スライダー本体。
【請求項２】
請求項１記載のスライダー本体において、
プレート結合部は、前方に突出する突出部を備える、スライダー本体。
【請求項３】
請求項１記載のスライダー本体において、
底プレートは、底プレートの底面の少なくとも一部分に沿った下方に突出する突出部を
備える、スライダー本体。
【請求項４】
請求項１記載のスライダー本体において、
底プレートは、底サイドレールを更に備え、上プレートは、上サイドレールを更に備え
、底サイドレールは、上サイドレールに概ね平行に配置され、
スライダー本体は、さらに、
底サイドレールと上サイドレールとの間に配置されたテープスロットと、
テープスロットに隣接した第１及び第２の側面領域とを含み、
第１側面領域は、上プレートの下面と底サイドレールの上面との間に配置され、
第２側面領域は、底プレートの上面と上サイドレールの下面との間に配置される、スラ
イダー本体。
【請求項５】
請求項４記載のスライダー本体において、
第１側面領域は、テープスロットの前方に配置され、
第２側面領域は、テープスロットの後方に配置される、スライダー本体。
【請求項６】
請求項４記載のスライダー本体において、
上サイドレールは、底サイドレールからオフセットされる、スライダー本体。
【請求項７】
請求項４記載のスライダー本体において、
スライダー本体は、さらに、
プレート連結部及び底プレートに結合された前方突出及び下方突出する突出部を備え、
前方突出及び下方突出する突出部は、スライダー本体の前方から外方に延び、かつ、底
プレートの下方に延びる、スライダー本体。
【請求項８】
スライダー本体であって、
スライダー本体は、
上プレートと、
底プレートと、
上プレート及び底プレートに連結されたプレート結合部と、
底プレート及びプレート結合部の少なくとも一つに連結された突出部とを備え、
突出部は、スライダー本体の前方部分から突出する、スライダー本体。
【請求項９】
請求項８記載のスライダー本体において、
突出部は、底プレート及びプレート結合部の少なくとも一つから側方に突出する、スラ
イダー本体。
【請求項１０】
請求項８記載のスライダー本体において、
突出部は、底プレート及びプレート結合部の少なくとも一つから垂直方向に突出する、
スライダー本体。
【請求項１１】
請求項８記載のスライダー本体において、
突出部は、底プレート及びプレート結合部の少なくとも一つから垂直方向及び側方の双
方に突出する、スライダー本体。
【請求項１２】
請求項８記載のスライダー本体において、
スライダー本体は、さらに、
上プレートに連結されたスライダーキャップと、
上プレートと底プレートとの間に配置され、長さを有する接合部分を備え、
スライダーキャップは、接合部分の長さの１５０％に等しい又はそれよりも大きい長さ
を有する、スライダー本体。
【請求項１３】
請求項８記載のスライダー本体において、
底プレートは、底サイドレールを更に備え、上プレートは、上サイドレールを更に備え
、底サイドレールは、上サイドレールの下方で上サイドレールに水平方向に平行に配置さ
れ、
スライダー本体は、さらに、
底サイドレールと上サイドレールとの間に配置されたテープスロットと、
テープスロットに連結された第１及び第２の側面領域とを含み、
第１側面領域は、上プレートの下面と底サイドレールの上面との間に配置され、
第２側面領域は、底プレートの上面と上サイドレールの下面との間に配置される、スラ
イダー本体。
【請求項１４】
スライダー本体であって、
スライダー本体は、
上サイドレールを有する上プレートと、
上サイドレールに平行に配置された底サイドレールを有する底プレートと、
底サイドレールと上サイドレールとの間に配置されたテープスロットと、
テープスロットの第１端部と連通し、上プレートの下面と底サイドレールの上面との間
に配置された第１側面領域と、
テープスロットの第２端部と連通し、底プレートの上面と上サイドレールの下面との間
に配置された第２側面領域と、
上プレート及び底プレートに連結されたプレート結合部とを備える、スライダー本体。
【請求項１５】
請求項１４記載のスライダー本体において、
テープスロットの長さは、スライダー本体の長さの半分以下である、スライダー本体。
【請求項１６】
請求項１４記載のスライダー本体において、
テープスロットの長さは、プレート結合部の長さ以下である、スライダー本体。
【請求項１７】
請求項１４記載のスライダー本体において、
スライダー本体は、さらに、
上プレートと底プレートとの間に配置され、長さを有する接合部分を備え、
接合部分の長さは、テープスロットの長さよりも大きい、スライダー本体。
【請求項１８】
物品であって、
物品は、
対向するジッパーの歯要素を有するジッパーテープと、
ジッパーテープに連結されたスライダー本体とを備え、
スライダー本体は、
上サイドレールを有する上プレートと、
上サイドレールの下方で上サイドレールに水平方向に平行に配置された底サイドレールと
、
底サイドレールと上サイドレールとによって画定されたテープスロットとを備え、
テープスロットの高さは、底サイドレールの上面と上プレートの下面との間の垂直方向の
距離であり、
スライダー本体は、さらに、
上プレート及び底プレートに連結されたプレート結合部と、
上プレートと底プレートとプレート結合部との間に配置され、テープスロットの長さより
も大きい長さを有する接合部分とを備える、物品。
【請求項１９】
請求項１８記載の物品において、
物品は、更に、
プレート結合部に結合された前方に突出する突出部を備え、
突出部は、上プレートの少なくとも上面から底プレートの少なくとも下面まで垂直方向
に延びる、物品。
【請求項２０】
請求項１８記載の物品において、
物品は、更に、
底プレートに結合された下方に突出する突出部を備える、物品。
【請求項２１】
請求項２０記載の物品において、
下方に突出する突出部は、さらに、底プレートから側方に延びる、物品。
【請求項２２】
請求項１８記載の物品において、
物品は、更に、
第１結合位置においてジッパーテープに連結された第１層及び第２層を備え、
第１層は、第２層上に配置される、物品。
【請求項２３】
請求項２２記載の物品において、
物品は、衣服であり、第１層及び第２層の少なくとも一方は、ファブリックからなる、
物品。
【請求項２４】
請求項２３記載の物品において、
スライダー本体は、更に、解放可能なロックピンを備え、ロックピンは、ジッパーテー
プのジッパーの歯要素と係合するように形状づけられる、物品。
【発明の詳細な説明】
【技術分野】
【０００１】
（関連出願についてのクロスリファレンス）
本出願は、２００９年１月３０日に提出された、名称が“耐障害物スライドファスナー
”である米国仮特許出願第６１／１４８７４９から優先権を主張し、その全開示が、その
全体が参照によって本明細書に組み込まれる。
【０００２】
本明細書中の実施形態は、ファスナーの分野に関し、より詳細にはスライドファスナー
の動作中にスライダー本体内の物質の詰まりを最小限にする一つ以上の特徴を有するスラ
イドファスナーのスライダー本体に関する。
【背景技術】
【０００３】
ジャケットや他のアウターウェアは、多くの場合、ファブリックライナーを含む。その
ライナーは、多数のファブリックのサンドイッチの部分又はファブリックの別個の部分で
ある。ライナーは、衣服の内側の外観を高めることや衣服の着心地を高めることを含む多
数の目的を果たす。ライナーファブリックは、一般的に薄い材料であり、“弾力性（give
）”の量のための内張り材よりもわずかに大きく寸法づけられる。この特徴は、ライナー
を集まらせる傾向を生じ、そのような集まりは、通常、スライドファスナーやジッパーな
どの装飾品の近くに生じ、それによって、ひっかかりを生じる。
【０００４】
また、ひっかかりは、重いジッパーを使用する重いファブリックから作られたジャケッ
ト及び他のアウターウェアに共通する。重いジッパーは、衣服ライナーに引っかかりやす
い大きなスライダーを有する。さらに、伸縮性ウエストバンドを含むラインジャケットは
、特に、ライナーがウエストバンドに許容された最大伸縮に対応するために十分な緩みを
有するので、ひっかかりやすい。他の衣服は、非常に軽量な生地から構成され、又は、軽
量な生地から作られた装飾的な要素を含む。そのような軽量ファブリックは、同様に、ス
ライドファスナーのスライダー本体に絡まり、詰まりを生じる。
【０００５】
衣服、機器及びアクセサリー産業を通じて使用される多種多様のスライダーを有する多
数のタイプのジッパーがある。典型的なスライドファスナーは、金属製ジッパー、成形ジ
ッパー及びコイルタイプのジッパーからなる。それぞれのケースでは、様々な製品（衣服
、アウトドア／キャンプ装備、袋等）に使用されるジッパーは、番号が５、６又は７など
の大きなサイズにする傾向がある。大きいサイズ自体は、スライダーがより詰まりがちに
しないが、大きなサイズのスライダーは、ファブリックが押し入る大きな開口部を有する
。
【発明の概要】
【発明が解決しようとする課題】
【０００６】
また、従来のジッパーは、スライダーの形状（スロートの開口の大きさ、サイドレール
とジッパーの歯の間の緊密な公差、スロートの開口とジッパーの歯のサイズとの間の全体
的な公差）及びプルタブがジッパーを閉じるために引っ張られるときにスライダー本体に
付与される回転により、ひっかかりやすい。この回転は、スライダー本体をライナーファ
ブリックの方に回転させ、従って、ひっかかりの可能性を高める。この回転は、上述のよ
うに、大きなサイズのジッパーでより顕著でないが、大きなサイズは、スライダー本体の
大きな開口部のためによりひっかかりやすい。
【０００７】
実施形態は、添付の図面と関連して以下の詳細な説明によって容易に理解されるであろ
う。実施形態は、例によって例示され、添付の図面の図に制限されないで例示される。
【図面の簡単な説明】
【０００８】
【図１】図１は、動作位置のプルタブ及びロック位置のロックピンを示す従来のスライダー本体の側面図を示す。
【図２】図２は、動作位置のプルタブ及びロックされていない位置のロックピンを示す従来のスライダー本体の側面図を示す。
【図３ａ】図３ａは、スライドファスナーを開くために動作される従来のスライダー本体の側面図を示す。
【図３ｂ】図３ｂは、スライドファスナーを開くために動作される従来のスライダー本体の側面図を示す。
【図４ａ】図４ａは、ジッパーテープの一部分がスライダー本体と係合した従来のスライダー本体の上面図を示す。
【図４ｂ】図４ｂは、図４ａのセクションラインＸ−Ｘに沿った従来のスライダー本体の断面図を示す。
【図４ｃ】図４ｃは、係合したジッパーテープの一部分と追加の材料層とを有する従来のスライダー本体の側面図を示す。
【図５ａ】図５ａは、様々な実施形態にかかる変更スライダー本体の側面図を示す。
【図５ｂ】図５ｂは、様々な実施形態にかかる変更スライダー本体の側面図を示す。
【図６】図６は、様々な実施形態にかかる底プレートの突出部を備える変更スライダー本体の側面図を示す。
【図７】図７は、様々な実施形態にかかる、底プレートの鋤形状の突出部及び固定していないファブリックライナーを有する変更スライダー本体の前面図を示す。
【図８ａ】図８ａは、様々な実施形態にかかる、底プレート及び／又はプレート結合突出部を有する変更スライダー本体の側面図を示す。
【図８ｂ】図８ｂは、様々な実施形態にかかる、底プレート及び／又はプレート結合突出部を有する変更スライダー本体の側面図を示す。
【図８ｃ】図８ｃは、様々な実施形態にかかる、底プレート及び／又はプレート結合突出部を有する変更スライダー本体の側面図を示す。
【図８ｄ】図８ｄは、様々な実施形態にかかる、底プレート及び／又はプレート結合突出部を有する変更スライダー本体の側面図を示す。
【図８ｅ】図８ｅは、様々な実施形態にかかる、底プレート及び／又はプレート結合突出部を有する変更スライダー本体の側面図を示す。
【図８ｆ】図８ｆは、様々な実施形態にかかる、底プレート及び／又はプレート結合突出部を有する変更スライダー本体の側面図を示す。
【図８ｇ】図８ｇは、様々な実施形態にかかる、底プレート及び／又はプレート結合突出部を有する変更スライダー本体の側面図を示す。
【図８ｈ】図８ｈは、様々な実施形態にかかる、底プレート及び／又はプレート結合突出部を有する変更スライダー本体の側面図を示す。
【図８ｉ】図８ｉは、様々な実施形態にかかる、底プレート及び／又はプレート結合突出部を有する変更スライダー本体の側面図を示す。
【図８ｊ】図８ｊは、様々な実施形態にかかる、底プレート及び／又はプレート結合突出部を有する変更スライダー本体の側面図を示す。
【図９ａ】図９ａは、様々な実施形態にかかる、底プレート突出部を有する変更スライダー本体を示す。
【図９ｂ】図９ｂは、様々な実施形態にかかる、底プレート突出部を有する変更スライダー本体を示す。
【図１０ａ】図１０ａは、水平および垂直に平行な上及び下のサイドレールを有する従来のスライダー本体を示す。
【図１０ｂ】図１０ｂは、様々な実施形態にかかる、突出するプレート結合部及びオフセット上及び下のサイドレールを有する変更スライダー本体を示す。
【図１０ｃ】図１０ｃは、様々な実施形態にかかる、突出するプレート結合部及びオフセット上及び下のサイドレールを有する変更スライダー本体を示す。
【図１０ｄ】図１０ｄは、様々な実施形態にかかる、突出するプレート結合部及びオフセット上及び下のサイドレールを有する変更スライダー本体を示す。
【図１１ａ】図１１ａは、ジッパーテープに連結された図１０ａの従来のスライダー本体を示す。
【図１１ｂ】図１１ｂは、様々な実施形態にかかる、ジッパーテープに連結された図１０ｂの変更スライダー本体を示す。
【図１１ｃ】図１１ｃは、様々な実施形態にかかる、ジッパーテープに連結された図１０ｂの変更スライダー本体を示す。
【図１２】図１２は、様々な実施形態にかかる、動作中水平面に沿って回転された変更スライダー本体の上面図を示す。
【発明を実施するための形態】
【０００９】
以下の詳細な説明において、本明細書の一部を形成し、実施することができる例示の実
施形態によって示された添付図面に参照がされる。他の実施形態が利用されることができ
、構造的又は論理的な変更が特許請求の範囲から逸脱しないで行うことができることを理
解されるべきである。従って、以下の詳細な説明は、限定する意味で解釈されるものでは
なく、実施形態の範囲は、添付の特許請求の範囲及びその均等物によって定義される。
【００１０】
様々な動作が実施の形態を理解する上で役立つと思われる方法で順番に複数の別個の動
作として記載されているが、説明の順序は、これらの動作が順番に依存していることを意
味すると解釈すべきではない。
【００１１】
記載は、上へ／下へ、後／前、及び、上／底などの視点に基づいた記載を使用すること
ができる。そのような記載は、端に議論を促進するために使用され、開示された実施形態
の適用を制限しようとするものではない。
【００１２】
用語“結合された”及び“連結された”は、それらの派生語と共に、使用されることが
できる。これらの用語は、互いに同義語として意図されていないことを理解すべきである
。むしろ、特定の実施形態では、“連結された”は、二つ以上の構成要素が直接互いに物
理的又は電気的に接触していることを示すために使用される。“結合された”は、二つ以
上の構成要素が直接物理的又は電気的に接触することを意味する。しかしながら、“結合
された”は、二つ以上の構成要素が直接互いに接触しないがまだ互いに協働又は作用する
ことも意味する。
【００１３】
説明の目的のために、形態“Ａ／Ｂ”又は形態“Ａ及び／又はＢ”のフレーズは、（Ａ
）、（Ｂ）、又は、（Ａ及びＢ）を意味する。説明の目的のために、形態“Ａ、Ｂ及びＣ
の少なくとも一つ”のフレーズは、（Ａ）、（Ｂ）、（Ｃ）、（Ａ及びＢ）、（Ａ及びＣ
）、（Ｂ及びＣ）、又は、（Ａ、Ｂ及びＣ）を意味する。説明の目的のために、形態“（
Ａ）Ｂ”のフレーズは、（Ｂ）又は（ＡＢ）を意味し、すなわち、Ａは、任意の構成要素
である。
【００１４】
説明は、用語“実施形態”又は“複数の実施形態”を使用し、それは、一つ以上の同じ
又は異なる実施形態をそれぞれ参照する。さらに、実施形態に関連して使用される用語“
備える”、“含む”、“有する”などは、同義語である。
【００１５】
本明細書中に使用されるように、“ジッパーテープ”は、ストリンガー、及び、二つの
ストリンガーの各々に対する列に連結されたスライドファスナーの相互連結する歯／コイ
ルを参照するために使用される。“ジッパーの歯の要素”は、スライドファスナーのあら
ゆる相互連結要素（例えば、歯、コイル）を参照するために使用される。“スライダー本
体”は、ジッパーテープに連結され、かつ、スライドファスナーの開閉のために作動可能
な可動スライドファスナー構成要素を参照するために使用される。“テープスロット”は
、底サイドレールの上面と上サイドレールの下面との間のスパース又は間隙として本明細
書中に画定される。“側面領域”は、底サイドレールの上面と上サイドレールの下面との
間のスパース及び上サイドレールの下面と底サイドレールの上面との間のスペースを含む
ように本明細書中に画定される。“側面領域”は、連続的に接続され、及び／又は“テー
プスロット”と連通する。
【００１６】
本明細書中に記載されているように、標準的なサイズ（例えば、サイズ３、サイズ５、
サイズ８、サイズ９．５など）は、ジッパーテープを示すのに変形スライド本体の実施形
態の説明で使用される。これらのサイズは、スライダー本体又は変形スライド本体の寸法
を説明するのに使用されない。例えば、用語“サイズ５の変形スライド本体”は、記載さ
れた変形スライダー本体が標準サイズ５のジッパーテープで使用するように構成されたこ
とを示すために本明細書中に使用される。いくつかの実施形態では、変形スライダー本体
は、サイズの範囲内にあるジッパーテープで使用するように構成される。説明は、標準的
なサイズを参照するが、実施形態は、非標準サイズ及び／又はカスタムサイズのジッパー
テープで使用するように構成された変形スライダー本体を含む。
【００１７】
本明細書中の実施形態は、例えば、裏張り衣服、寝袋、又は、緩んだ生地がスライドフ
ァスナーの動作中にスライドファスナー及び／又はスライダー本体に隣接するあらゆる他
のアプリケーションで作用されるジッパーの構成要素として使用されるときに、詰まりを
最小限にするように構成された変形スライダー本体を提供する。本明細書中に記載された
変形スライダー本体の様々な実施形態の形状、及び、裏張り衣服の着用者によるそのよう
なスライダー本体の動作手段は、裏張り（又は他の）生地がスライダーのスロートに入る
のを抑制し、それによって、スライダー本体に詰まる。実施形態では、変形スライダー本
体の形状は、変形スライダー本体の接合長さから離れる方向に緩い生地をそらす又は押す
のに役立ち、それによって、動作中の詰まりに抵抗する。
【００１８】
いくつかの実施形態では、変更スライダー本体は、衣服着用者がジッパーを閉じるため
にプルタブを引っ張りながらスライダー本体の回転を低減する一つ以上の特徴を含む。回
転の低減は、スライダー本体近くのジッパーの歯へのライナー生地の接近を低減し、それ
によって、ひっかかりを最小限にするのに役立つ。他の実施形態では、変形スライダー本
体は、変形スライダーの開口部近くのジッパーの歯から離れる方向にライナー生地を押し
出す前方及び／又は下方に突出する特徴などの一つ以上の特徴を備える。さらに他の実施
形態では、変形スライダー本体のサイドレールの形状は、レールが、変形スライダー本体
のスロート開口部から離れる方向に緩い生地を押し出すことができるように形状づけられ
る。様々な実施形態は、あらゆる組み合わせで一つ以上の上記特徴を含み、変形スライダ
ー本体の開口部から離れる方向に材料を押し出すことが適当に可能な、及び／又はプルタ
ブがスライダー本体の動作中に引っ張られるときに変形スライダー本体の回転を低減する
ことが適当に可能な変形スライダー本体を提供する。
【００１９】
本発明の一実施形態では、変形スライダー本体は、スライダー本体の背面プレートの突
出部を含む。そのような突出部は、従来のスライダー本体の平らなプレートの背面に取り
付けられた別個の要素を含むことができ、又は、突出部及びプレート背面／スライダー本
体は、単一のユニット／部分として変形され／形成されることができる。突出部は、鋤形
状、翼形状、円弧、及び／又はシンプルな半円筒形状を含むがこれらに限定されないあら
ゆる多数の形状の形態にすることができる。様々な形状が、本明細書中に開示された変更
スライダー本体の突出部に利用されることができることが認められる。
【００２０】
本発明の他の実施形態では、上プレート、底プレート、又は双方の組み合わせのサイド
レールは、（レールが上及び底のプレートの双方に同じ長さである従来のデザインと比べ
て）短い。様々な異なる長さは、本発明の目的を達成することが認められる。
【００２１】
本発明の他の実施形態では、変形スライダー本体は、変形スライダー本体の幅に比例し
て（従来のスライダー本体と比較して）細長い接合長さを有し、及び／又は、スプリング
キャップは細長くされることができる。従来のスライダーのプルタブは、スプリングキャ
ップの側方の範囲内にある軸線を中心にして概ね枢動する。この実施形態の細長いスライ
ダーキャップは、変形スライダー本体を有するスライドファスナーのプルタブが変形スラ
イダー本体の長さに沿って移動すること、及びスライドファスナーを開閉するためにプル
タブが引っ張られるときに従来のスライダーキャップのように回転することを許容する。
【００２２】
図１は、動作位置にあるプルタブを示す従来のスライダー本体の側面図を示す。スライ
ダー本体１０４は、その一部分が接合長さ１０２を備える長さ１１４を有する。接合長さ
１０２は、（スライダー本体の内部内に配置された）ポスト１３２の後部からスライダー
本体の後部までのスライダー本体１０４の部分の長さである。スライダー本体のこの部分
は、接合チャンネルを含む。スライダー本体１０４がジッパーテープに結合されると、ジ
ッパーのテープに沿ってスライダー本体を第１方向に移動させると、ジッパーテープの相
互連結されたジッパーの歯の要素に対してポスト１３２を押し、スライドファスナーを開
くためにジッパーの歯の要素を分離する。反対方向へスライダー本体を移動させると、ガ
イドチャンネルを通じて接合チャンネルの中にジッパーの歯の要素を押し進め、ジッパー
の歯の要素は、スライドファスナーを閉じるために再度相互連結される。
【００２３】
スライダー本体１０４の底プレート１０８は、典型的に、平らな下面及び上方に突出す
るサイドレール１１８を有する。上プレート１０９は、その下面に沿った下方に突出する
上サイドレール１１９を含む。上サイドレール１１９及び底サイドレール１１８は、スラ
イドファスナーの動作中ジッパーテープが通過するテープスロット１２３によって分離さ
れる。上プレート１０９及び底プレート１０８は、通常、スライダー本体１０４の前端部
を分割するポスト１３２によって接合される。従来のスライダー本体は、接合長さ１０２
は、ポスト１３２の長さよりも大きい。典型的に、ポスト１３２の長さは、接合長さ１０
２の半分より小さく、接合長さ１０２のおよそ三分の一、四分の一、又は五分の一である
。
【００２４】
スライダーキャップ１０１は、スライダー本体のスライダー本体の上プレート１０９の
上面に取り付けられ、適所にプルタブ１０３を保持する。スライダーキャップ１０１は、
スライダー本体がスライドファスナーを閉じるためにジッパーテープの長さに沿って移動
されるときに、円弧１２０の方向にプルタブ１０３が引っ張られるときにロックピン１０
５を移動するロックピン構造を含む。プルタブ１０３は、プルタブ１０３をスライダーキ
ャップ１０１の下側に耐えさせる要素１０７に耐える。これは、スライダーキャップ１０
１を円弧１２０に実質的に平行な円弧に沿って枢動ポイント１０６を中心にして回転させ
、それによって、ロックピン１０５をジッパーテープの歯の外方へ移動させる。
【００２５】
図２は、ジッパーテープの歯から離れる方向にロックピン１０５を上昇する上昇位置に
スライダーキャップ１０１がある図１の従来のスライダー本体１０４を示す。スライダー
本体１０４は、方向１２１にプルタブ１０３を引っ張ることによってスライドファスナー
を開くためにジッパーテープに沿って移動される。スライダーキャップ１０１は、ロック
ピン１０５に連結され、ロックピン１０５がジッパーテープのジッパーの歯間から移動さ
れることを許容し、それによって、スライダー本体が方向１２５に移動するのを許容する
。
【００２６】
図３ａ及び図３ｂは、スライドファスナーを開く（図３ａ）及び閉じる（図３ｂ）ため
に作動される従来のスライダー本体の側面図を示す。図３ａでは、プルタブ１０３は、方
向１２１に引っ張られ、スライダー本体１０４をジッパーテープ１１０の長さに沿って実
質的に同じ方向に移動させる。方向１２１へのスライダー本体１０４の移動は、十把テー
プ１１０の長さに沿った相互連結されたジッパーの歯要素を非結合させ、スライドファス
ナーを開く。また、方向１２１へのプルタブ１０３の引っ張りは、スライダー本体１０４
をスライダー本体１０４の質量の中心点１４５の周りを円弧１３０の方向に回転させる。
その回転は、スライダー本体１０４の前部を下方に傾斜させ、上プレート１０９の底面に
ジッパーテープ１１０を押しつけ、ジッパーテープ１１０と底プレート１０８との間の間
隙１１６を拡大する。
【００２７】
図３ｂでは、プルタブ１０３は、方向１２２に引っ張られ、それによって、スライダー
本体１０４は、ジッパーテープ１１０の長さに沿って実質的に同じ方向に移動し、ジッパ
ーテープ１１０の長さに沿ってジッパーの歯要素を相互連結させる。方向１２２へのプル
タブ１０３の引っ張りは、スライダー本体１０４をスライダー本体１０４の質量の中心１
４５の中心の周りを円弧１３１の方向に回転させる。上述したように、この回転は、スラ
イダー本体１０４を下方に傾斜させ、上プレート１０９の底面にジッパーテープ１１０を
押しつけ、ジッパーテープ１１０と底プレート１０８との間の間隙１１６を拡大する。図
３ａ及び図３ｂに示されたスライダー本体の回転及び結果として生じた間隙１１６の拡大
は、後述するようにスライダー本体１０４内に生地の内側層（例えば、衣服の裏地）のよ
うな材料の詰まりを許容する。
【００２８】
図４ａは、従来のスライダー本体１０４に連結されたジッパーの歯要素１１１を備える
ジッパーテープ１１０の上面図を示す。図４ｂは、平面Ｘ−Ｘに沿った図４ａのスライダ
ー本体１０４の切断図を示す。図４ｂに示されるように、上プレート１０９は、上サイド
レール１１９を含むが、底プレート１０８は、底サイドレール１１８を含む。ジッパーテ
ープ１１０は、ジッパー歯要素１１１がガイドチャンネル１１５内に配置された状態で、
上プレート１０９及び底プレート１０８との間に配置されて示される。ジャケットの外殻
などの外層１４０は、結合要素１４２（例えば、ねじ又は接着剤）によってジッパーテー
プ１１０に結合される。また、ジャケットのインナーライナーなどの内層１４１は、結合
要素１４２によってジッパーテープ１１０に結合される。典型的なジャケット又は他のア
ウトウェアのアプリケーションでは、外層１４０は、レザーなどの比較的厚い生地の材料
から作られ、内層１４１は、絹やポリエステルなどの比較的薄い生地材料から作られる。
内層１４１の寸法は、“弾力性（give）”の量を確実にするため及び外層の束を防止する
ために外層１４０の寸法よりも概ね大きい。内層１４１の比較的大きなサイズは、外層１
４０に連結される位置、特に、ジッパーテープなどのトリミング近傍において保持する又
は束ねるためにその層の追加の材料を生じる。
【００２９】
図４ｂに示されるように、内層１４１は、内層１４１の一部がガイドチャンネル１１５
に入ることが許容される場合にジッパーの歯要素１１１と絡まりやすい。プルタブ１０３
が引っ張られたときのスライダー本体１０４の回転は、間隙１１６の大きさを増大し、内
層１４１の一部分の進入を許容する。内層１４１のその部分は、ガイドチャンネル１１５
に到達する前にスライダー本体１０４を詰まらす。代替的に、内層１４１の部分が、ジッ
パーテープ１１０と共にガイドチャンネル１１５の中に通過するのに十分に薄い場合には
、内層１４１の部分は、ガイドチャンネル１１５内でジッパーの歯要素と絡まり、ポイン
ト１１２で示されたようにスライダー本体１０４で詰まりを生じ、及び／又は内層１４１
及び／又はスライダー本体１０４に永久的な損傷を引き起こす。
【００３０】
図４ｃは、内層１４１がジッパーテープ１１０に隣接して配置された状態の図３ａ及び
図３ｂの従来のスライダー本体の側面図を示す。内層１４１の部分は、スライダー本体１
０４のポスト１３２の近くに示される。プルタブ１０３が円弧１３１に沿って回転され、
方向１２２に引っ張られてスライドファスナーを閉じると、（ポスト１３２、上プレート
１０９、上サイドレール１１９、底プレート１０８及び底サイドレール１１８によって画
定された）ガイドチャンネル１１５は、ジッパーテープ１１０に取り付けられたジッパー
の歯要素１１１を受け入れる。そのおおよそ質量の中心点１４５を中心としたスライダー
本体の回転は、ジッパーテープ１１０がガイドチャンネル１１５に入るときにジッパーテ
ープ１１０の下にある間隙１１６の大きさを増大させ、間隙１１６に入る及びガイドチャ
ンネル１１５の中にジッパーテープ１１０で引っ張られる機会を内層１４１の一部に作る
。ジッパーテープ１１０は、ガイドチャンネル１１５を通じて進むので、ジッパーテープ
と底サイドレール１１８との間の間隙は、スライダー本体１０４の傾斜のせいで増大し、
捕捉された内層１４１をテープスロット１２３及び／又はスライダー本体１０４のガイド
チャンネル１１５内で詰まらせる。従って、スライダー本体１０４の回転は、内層１４１
がスライドファスナーの開閉中においてジッパーテープ１１０と及び／又はジッパーの歯
要素間で絡まる可能性を増大する。
【００３１】
図５ａ及び図５ｂは、様々な実施形態による改善されたスライダー本体の側面図を示す
。図５ａに示されるように、スライダー本体２０４は、スライダーキャップ２０１、プル
タブ２０３、ロックピン２０５、底プレート２０８、上プレート２０９及びポスト２３２
を含む。上プレート２０９は、下方に突出する上レール２１９を含む。底プレート２０８
は、上方に突出する底レール２１８を含む。上プレート２０９及び底プレート２０８は、
いくつかの実施形態ではポストであるプレート結合部２３２によって結合される。プレー
ト結合部２３２及び上プレート２０９及び／又は底プレート２０８は、単一のユニットと
して形成される。他の実施形態では、プレート結合部２３２及び上プレート２０９及び／
又は底プレート２０８は、別個の構成要素として形成され結合される。底レール２１８及
び上レール２１９は、テープスロット２２３によって分離される（図５ａ）。
【００３２】
スライダーキャップ２０１は、上プレート２０９に結合される。いくつかの実施形態で
は、スライダーキャップ２０１は、上プレート２０９の厚さを貫通する開口部内に配置さ
れたロックピン２０５に結合される。上プレート２０９は、その上面に沿って一つ以上の
要素２０７に結合される。いくつかの実施形態では、上プレート２０９及び要素２０７は
、単一のユニットとして形成されるが、他の実施形態では、上プレート２０９及び要素２
０７は、後で連結される別個の構成要素として形成される。プルタブ２０３は、スライダ
ーキャップ２０１に連結され、スライドファスナーを開くために方向１２１に及びスライ
ドファスナーを閉じるために方向２２０に変更スライダー本体２０４を引っ張る。
【００３３】
図５ａに図示された実施形態などのいくつかの実施形態では、スライダーキャップ２０
１及び／又は変更スライダー本体２０４は、図１のスライダーの対応する要素（すなわち
、スライダーキャップ１０１及びスライダー本体１０４）よりも十分に長い。図示のよう
に、スライダーキャップ２０１は、接合長さ２０２よりも十分に長い。いくつかの実施形
態では、プレート結合部２３２は、従来のスライダー本体の対応するポスト（すなわち、
ポスト１３２）よりも長い。例えば、スライダーキャップ２０１の長さは、接合長さ２０
２の長さの少なくとも１．５倍（例えば、接合長さ２０２の長さの１５０％）にすること
ができる。別の例として、スライダーキャップ２０１の長さは、接合長さ２０２の長さの
約二倍（例えば、接合長さ２０２の長さの２００％）にすることができる。他の例では、
スライダーキャップ２０１の長さは、プレート結合部２３２の全長及び接合領域２０２で
ある長さ２１４よりも大きい又は長さ２１４と実質的に等しくすることができる。
【００３４】
動作では、プルタブ２０３の引っ張りは、枢動ポイント２１３を中心にプルタブ２０３
を回転させ、プルタブ２０３を要素２０７及びスライダーキャップ２０１の下側に押しつ
ける。スライダーキャップ２０１にかけられた力は、スライダーキャップ２０１を枢動ポ
イント２０６を中心にして回転させ、それによって、ロックピン２０５をジッパーテープ
の歯の外方に移動させる。いくつかの実施形態は、ロックピン２０５、枢動ポイント２０
６及び／又は要素２０７を有しない。
【００３５】
変更スライダー本体２０４の底プレート２０８の上面は、平面部分を備える。従来のス
ライダー本体のスライダーキャップ１０１に対してスライダーキャップ２０１の増大した
長さは、プルタブ２０３がスライドファスナーを開くために（方向２２１への引っ張り）
又はスライドファスナーを閉じるために（方向２２０への引っ張り）、引っ張られる際に
、上プレート２０９の上面とスライダーキャップ２０１の下面との間の開空間の細長い領
域内に摺動するのを許容する。どちらの場合でも、プルタブ２０３が引っ張られると、プ
ルタブ２０３の摺動は、変更スライダー本体２０４の（質量の中心点２４５の近くの）質
量の中心点から十分に離れた距離に枢動ポイント２１３の位置を生じ、それによって、質
量の中心点２４５を中心とした変更スライダー本体２０４の回転を低減する。回転の低減
は、ジッパーのひっかかりの可能性を低減させる。
【００３６】
ロックピン２０５が係合されていない状態の図５ａの変更スライダー本体２０４の実施
形態を示す図５ｂでは、プルタブ２０３がスライドファスナーを開くために方向２２０に
スライダー本体を引っ張るために配置されて示される。変更スライダー本体は、プルタブ
２０３の回転中心２１３の増大した距離の結果として動作中の回転がしにくい。スライダ
ー本体の回転の低減は、従来のスライダー本体の動作中に観測される底サイドレールとジ
ッパーテープとの間の間隙の大きさの増加を低減する。これは、内層２４１が拡大された
間隙を通じてテープスロット２２３の中に引っ張られるのを防止するのに役立ち、それに
よって、変更スライダー本体２０４内の、ジッパーテープ２１０のジッパーの歯要素間の
、及び／又はテープスロット２２３内の材料（例えば、内層）の詰まりを低減又は排除す
る。
【００３７】
図６は、本発明のスライダー本体の他の実施形態を示す。この実施形態では、変更スラ
イダー本体２０４の底プレート２０８は、突出部２５０を含む。突出部２５０は、ジッパ
ーテープ２１０から離れる方向に内層２４１を押し出すように形状づけられ、寸法づけら
れ、及び／又はそうでなければ構成され、変更スライダー本体２０４内の内層２４１の詰
まり又は引っかかりの可能性を更に最小限にする。いくつかの実施形態では、突出部２５
０は、単一ユニットとして底プレート２０８に形成／構成される。他の実施形態では、突
出部２５０は、別個のユニットとして形成され、その後底プレート２０８に結合される。
一実施形態では、突出部２５０は、事前に製造された及び／又は事前に取り付けられたス
ライダー本体に結合するのに適当な別個のユニットとして製造される。
【００３８】
図７は、ジッパー歯要素２１１を含むジッパーテープ２１０に結合された変更スライダ
ー本体２０４の断面図を示す。図示のように、ジッパーテープ２１０は、ジッパー歯要素
２１１がガイドチャンネル２１５によって収容されるようにテープスロット２２３を通過
する。ジャケットの外殻などの外層２４０は、ジッパーテープ２１０に結合される。また
、ジャケットのインナーライナーなどの内層２４１は、生地層２４０に及び／又はジッパ
ーテープ２１０に結合される。ジッパーテープ２１０は、結合要素２４２によって及び／
又はあらゆる適当な手段によって生地層２４０及び２４１に結合される。結合要素２４２
は、ファブリックなどの材料を結合するための当技術分野で公知の任意の要素（例えば、
シーム、接着剤、機械的ファスナーなど）にすることができる。
【００３９】
突出部２５０は、内層２４１の緩い部分を、突出部２５０を有しないスライダー本体よ
りもジッパーテープ２１０及びガイドチャンネル２１５からさらに離れる方向に押し出し
、変更スライダー本体２０４内の内層２４１の詰まり又は引っかかりをさらに低減する。
実施形態は、突出部２５０のサイズ及び／又は形状に関して変更できる。いくつかの実施
形態では、突出部２５０は、底プレート２０８よりも広く及び／又は厚い。他の実施形態
では、突出部２５０は、その一端部が、曲げられ、鋤形状にされ、尖った形状にされ、Ｖ
形状にされ、Ｕ形状にされ、及び／又は広くされ／厚くされる。突出部２５０は、底プレ
ート２１８の上方に延びる。いくつかの実施形態では、突出部２５０は、底プレート２１
８から側方に延びる。
【００４０】
図８ａ乃至図８ｊは、様々な実施形態による底プレート及び／又はプレート連結突出部
を有する変更スライダー本体の側面図を示す。図８ａは、底プレート２０８に結合された
平らで鋤形状の突出部２５１を有する変更スライダー本体の実施形態を示す。図８ｂは、
底プレート２０８に結合された曲がった鋤形状の突出部２５２を有する変更スライダー本
体の実施形態を示す。図８ｃは、底プレート２０８に結合された薄く曲がった鋤形状の突
出部２５３を有する変更スライダー本体の他の実施形態を示す。図８ｄは、底プレート２
０８の一部として形成された曲がった鋤形状の突出部２５４を有する変更スライダー本体
の実施形態を示す。図８ｅは、鋤形状の突出部２８０を有する変更スライダー本体の実施
形態を示す。いくつかの実施形態では、突出部２８０は、底プレート２０８及び／又は中
央プレート結合部（例えば、プレート結合部２３２）の一部として形成される。他の実施
形態では、突出部２８０は、中央プレート結合部がねじ込まれて上プレート２０９を突出
部２８０／底プレート２０８に結合する垂直開口を含む。図８ｆは、中央プレート結合部
から延びる鋤形状の突出部２８５を有する変更スライダー本体の実施形態を示す。再度、
突出部２８５及び中央プレート結合部は、単一の構成要素として又は別個の構成要素とし
て形成される。図８ｇは、中央プレート結合部から延び、底プレート２０８に結合された
鋤形状の突出部２８７を有する変更スライダー本体の実施形態を示す。図８ｈは、中央プ
レート結合部から延び、底プレート２０８の下方でスコップ又は鋤形状で終端する鋤形状
の突出部２８９を有する変更スライダー本体の実施形態を示す。図８ｉは、サイド部分２
６１を含む湾曲した下方に突出する突出部２６０を有する変更スライダー本体の実施形態
を示す。サイド部分２６１は、底プレート２０８から側方及び／又は下方に突出する。
【００４１】
図８ｊは、上プレート２０９に結合された第１スライダーキャップ２０１及び底プレー
ト２０８に結合された第２スライダーキャップ２７１を有する変更スライダー本体の実施
形態を示す。ポスト２３２は、上プレート２０９を底プレート２０８に接合する。いくつ
かの実施形態では、ポスト２３２は、第１スライダーキャップ２０１及び第２スライダー
キャップ２７１などの一つ以上のスライダーキャップをスライダー本体の他の構成要素に
（例えば、上プレート２０９に及び／又は底プレート２０８に）接合する。第１スライダ
ーキャップ２０１及び／又は第２スライダーキャップ２７１は、スライダー本体の回転を
最小限にするために伸長する。いくつかの実施形態では、第１スライダーキャップ２０１
及び／又は第２スライダーキャップ２７１は、鋤形状の突出部及び／又はスライダー本体
の前、後、上、底及び／又は側に対して外方に延びる鋤形状の突出部を含む。そのような
スライダーキャップ／突出部は、スライダー本体部の動作中においてジッパーテープから
離れる方向に生地又は他の材料を押し出すように形状づけられる。さまざまな実施形態で
は、スライダーキャップは、図８ａ乃至図８ｉに示されたように実質的に形状づけられた
突出部を含む（すなわち、上／底プレート又はポストから突出するように示された突出部
は、スライダーキャップから代わりに突出することができる）。図８ｊに示されたように
、いくつかの実施形態は、前方に突出する突出部を有するポスト（例えば、ポスト２３２
）及び上方／下方／側方に突出する突出部を有する二つのスライダーキャップを備え、ジ
ッパーテープから離れる方向に材料を押し出し、スライダー本体内での材料の引っかかり
又は詰まりを最小限にする。例えば、第１スライダーキャップ２０１は、前方かつ上方に
突出し、第２スライダーキャップ２７１は、前方かつ下方に突出し、ポスト２３２は、ス
ライダーキャップ間で前方に突出する。この例では、変更スライダー本体の動作中におい
て、第１スライダーキャップ２０１は、ジッパーテープから離れる方向に上方に材料を押
し出し、第２スライダーキャップ２７１は、ジッパーテープから離れる方向に下方に材料
を押し出し、ポスト２３２は、ジッパーテープから離れる方向に側方に材料を押し出す。
【００４２】
図９ａ及び図９ｂは、様々な実施形態による底プレート突出部を有する変更スライダー
本体を示す。図９ａは、変形スライダー本体の上面図を示し、図９ｂは、同じ変形スライ
ダー本体の断面図を示す。図９ｂに示されるように、変形底プレート２７６は、底サイド
レール２７７を含む。変形底プレート２７６は、さらに、下方及び側方に突出するサイド
部分２５５を含む（図９ａ参照）。サイド部分２５５は、衣服の裏地などの一つ以上のフ
ァブリック層をスライドファスナーの動作中においてジッパーテープから離れる方向に押
し出す。
【００４３】
図１０ａは、水平及び垂直に平行な上及び底サイドレールを有する従来のスライダー本
体を示す。図１０ａに示された従来のスライダー本体部は、上サイドレール１１９を有す
る上プレート１０９と、底サイドレール１１８を有する底プレート１０８と、上プレート
１０９及び底プレート１０８を結合するポスト１３２と、上プレート１０９の上面に結合
された結合部１２６と、結合部１２６に結合された要素１２４とを含む。要素１２４は、
上プレート１０９にさらに連結される。結合部１２６は、枢軸１２７をさらに含む。
【００４４】
図１０ａでは、テープスロット１２３は、底サイドレール１１８の上面から上サイドレ
ール１１９の底面まで測定して、高さが約０．１０４１４ｃｍ（約０．０４１インチ）で
ある。上及び底サイドレール１１８／１１９は、共に水平かつ垂直に平行であるため、テ
ープスロット１２３、上サイドレール１１９及び底サイドレール１１８は、長さが全て等
しく、テープスロット１２３は、その全長に沿って高さが約０．１０４１４ｃｍ（約０．
０４１インチ）である。ポスト１３２は、上サイドプレート１０９及び底サイドプレート
１０８の縁部を超えて延びない。細長いテープスロットは、材料がテープスロット内で引
っかかる又は詰まるのを許容し、突出しないポストは、従来のスライダー本体の動作中に
おいて生地又は他の材料をジッパーテープから離れる方向に押し出すように機能しない。
従って、従来の構成は、スライダー本体に（衣服のインナーライニングなどの）材料のひ
っかかりや詰まりを促す。
【００４５】
対照的に、図１０ｂ乃至図１０ｄは、様々な実施形態による突出プレート結合部及びオ
フセット上及び底サイドレールを有する変形スライダー本体を示す。図１０ｂに示された
変形スライダー本体は、上サイドレール２１９を有する上プレート２０９、底サイドレー
ル２１８を有する底プレート２０８、上プレート２０９及び底プレート２０８を連結する
プレート結合部２３２、上プレート２０９の上面に結合された結合部２２６、及び、結合
部２２６に結合された要素２２４を含む。要素２２４は、さらに、上プレート２０９に結
合される。結合部２２６は、枢軸２２７をさらに含む。
【００４６】
図１０ｂに示されるように、変形スライダー本体は、第１突出部２９１及び第２突出部
２９２を有するプレート結合部２３２を含む。第１及び第２突出部２９１／２９２は、第
１突出部２９１が（図示のように）前方及び下方の双方に突出した状態で連続的に配置さ
れる。他の実施形態では、第１及び第２突出部２９１／２９２は、側方に平行にすること
ができる（すなわち横並びに配置される）。いくつかの実施形態は、第２突出部２９２を
有しない。第１及び第２突出部２９１／２９２は、鋤又は鋤形状にすることができ、スラ
イドファスナーの動作中においてジッパーテープから離れる方向に生地／材料を押し出す
ように機能する。
【００４７】
実施形態は、変形スライダー本体の一方側又は両側に沿って垂直に伸び、プレート結合
部２３２、第１突出部２９１、第２突出部２９２及び／又は上サイドレール２０９の少な
くともいくつかの部分を覆う一つ又は二つの側壁２９６を含む。他の実施形態は、側壁２
９６を有しない。いくつかの実施形態では、側壁２９６は、スライドファスナーの動作中
においてジッパーテープから離れる方向に材料を押し出すように形状づけられる。
【００４８】
変形スライダー本体は、上サイドレール２１９の下面と対向する底サイドレール２１８
の上面との間の距離として測定された垂直高さを有するテープスロット２２３を含む。図
１０ｂに示されるように、変形スライダー本体のテープスロット２２３は、上サイドレー
ル２１９及び底サイドレール２１８のオフセットのためにスライダー本体の全長に対して
短くされる。いくつかの実施形態では、テープスロット２２３の長さは、変形スライダー
本体の半分以下である。他の実施形態では、テープスロット２２３の長さは、プレート結
合部２３２の長さよりも長くない。一実施形態では、テープスロット２２３の長さは、変
形スライダー本体の長さの三分の一よりも長くない。上サイドレール２１９は、上プレー
ト２０９の後方末端（すなわち、プレート結合部２３２と対向する端部）まで延びる。底
サイドレール２１８は、底サイドレール２１９を有しないで、底プレート２０８の前方か
ら長さ２９８で設定され、底プレート２０８の後方末端に達する前に終端し、後方末端に
おいて底プレート２０８の長さ２９９及び底プレート２０８の長さ２９８を残す。一実施
形態では、上サイドレール２１９は、底サイドレール２１９とおよそ同じ長さにすること
ができ、底サイドレール２１８に比較して上プレート２０９の後方末端の方にオフセット
される。例えば、上サイドレール２１９は、長さ２９８及び長さ２９９の合計に等しい上
プレート２１９の前方からの距離で始まり、上サイドプレート２１９の末端（すなわち、
プレート結合部２３２と対向する端部）まで延びる。
【００４９】
テープスロット２２３は、上サイドレール２１９ではなく底サイドレール２１８に関し
て第１側面領域によって一端部において側面に配置され、底サイドレール２１８ではなく
上サイドレール２１９に関して第２側面領域によって他端部において側面に配置される。
高さが等しい上及び底サイドレールに関する実施形態では、第１及び第２領域は、高さを
等しくすることができる。図１０ｂに示されるように、高さ２２９は、上／底サイドレー
ルを欠く底プレート２１８の部分と上プレート２１９の部分との間の距離である。高さ２
２８は、第１及び第２側面領域の垂直高さである（すなわち、レールを欠く上プレート２
１９の底面の部分と底レール２１８の上面との間の距離、また、レールを欠く底プレート
２０８の上面の部分と上レール２１９の下面との間の距離）。
【００５０】
実施形態は、テープスロット２２３の高さ、長さ２９９／２９８、高さ２２８／２２９
、及び、上及び底サイドレール２１９／２１８の長さ／高さを変更することができる。例
えば、サイズが５である変更スライダー本体（例えば、標準サイズが５であるジッパーの
ジッパーテープで使用するために形状づけられた変形スライダー本体）の一実施形態では
、テープスロット２２３は、約０．１３９７ｃｍ（約０．０５５インチ）の高さを有し、
長さ２９９及び長さ２９８は、約０．２０３２ｃｍ（約０．０８０インチ）にすることが
でき、高さ２２８は、約０．１８５４２ｃｍ（約０．０７３インチ）にすることができ、
上サイドレール２１９及び底サイドレール２１８は、約０．０４５７２ｃｍ（約０．０１
８インチ）の高さを有することができ、高さ２２９は、約０．２３１１４ｃｍ（約０．０
９１インチ）にすることができる。サイズが５である変更スライダー本体の他の実施形態
では、テープスロット２２３は、約０．１２７乃至０．１５２４ｃｍ（約０．０５０乃至
０．０６０インチ）の範囲内の高さを有し、長さ２９９及び長さ２９８は、約０．１７７
８乃至０．２２８６ｃｍ（約０．０７０乃至０．０９０インチ）の範囲内にすることがで
き、高さ２２８は、約０．１６５１乃至０．２１５９ｃｍ（約０．０６５乃至０．０８５
インチ）の範囲内にすることができ、上サイドレール２１９及び底サイドレール２１８は
、約０．０３５６乃至０．０５５８８ｃｍ（約０．０１４乃至０．０２２インチ）の範囲
内の高さを有することができ、高さ２２９は、約０．１９０５乃至０．２６６７ｃｍ（約
０．０７５乃至０．１０５インチ）の範囲内にすることができる。
【００５１】
変形スライダー本体の他の実施形態では、テープスロット２２３は、約０．０７６２乃
至０．２２８６ｃｍ（約０．０３０乃至０．０９０インチ）の範囲内の高さを有し、長さ
２９９及び長さ２９８は、約０．１０１６乃至０．３８１ｃｍ（約０．０４０乃至０．１
５０インチ）の範囲内にすることができ、高さ２２８は、約０．０８８９乃至０．３８１
ｃｍ（約０．０３５乃至０．１５０インチ）の範囲内にすることができ、高さ２２９は、
約０．１０１６乃至０．４５７２ｃｍ（約０．０４０乃至０．１８０インチ）の範囲内に
することができる。上及び／又は底サイドレール２１９／２１８は、約０．３８１乃至１
．２７ｃｍ（約０．１５乃至０．５００インチ）の範囲内の長さを有することができる。
上及び／又は底サイドレール２１９／２１８は、約０．０１２７乃至０．１５２４ｃｍ（
約０．００５乃至０．０６０インチ）の範囲内の高さを有することができる。いくつかの
実施形態では、上サイドレール２１９及び底サイドレール２１８は、異なる長さ及び／又
は異なる高さを有することができる。
【００５２】
変形スライダー本体の他の寸法は、実施形態によって変更できる。例えば、一実施形態
では、上及び底プレート２０９／２０８は、それらの上面から下面までの厚さを約０．０
５０８ｃｍ（約０．０２０インチ）にすることができ、上サイドレール２１９及び／又は
底サイドレール２１８は、左右の厚さが０．０１２７ｃｍ（約０．００５インチ）にする
ことができ、側壁２９６は、約０．９２７１ｃｍ（約０．３６５インチ）の高さを有し、
底プレート２０８の後部分からの下方及び前方の傾斜は、約１３．４６度の角度にするこ
とができ、変形スライダー本体の前部（すなわち、プレート結合部２３２及び側壁２９６
の前部）の幅は、約０．３１７５ｃｍ（約０．１２５インチ）にすることができる。
【００５３】
いくつかの実施形態では、様々なサイズ（例えば、サイズ３、サイズ５、サイズ８、サ
イズ１０など）の変形スライダー本体は、同一又は類似である一つ以上の相対的な比率を
有する。例えば、高さ２２８に対するテープスロット２２３の高さの比率は、サイズ３、
サイズ５、サイズ８及び／又はサイズ１０の変形スライダー本体間で実質的に同じにする
ことができる。他の例として、変形スライダー本体の長さに対する上／底サイドレールの
長さの比率は、変形スライダー本体のサイズの範囲の間で実質的に同じにすることができ
る。いくつかの実施形態では、サイドレールの長さに対する側面領域の長さの比率は、様
々なスライダー本体サイズの変形スライダー本体間でほぼ同じにすることができる。他の
実施形態では、上述の一つ以上のサイズ５の変形スライダー本体の寸法は、より大きなサ
イズに応じてスケールアップ及び／又はより小さなサイズに応じてスケールダウンするこ
とができる。
【００５４】
図１０ｃは、図１０ｂの変形スライダー本体の底面図を示す。図示のように、スライダ
ー本体は、前方に突出する突出部２９１及び第２の突出部２９２を含む。これらの突出部
は、スライドファスナーの動作中ジッパーテープから離れる方向に生地又は他の材料を移
動させるために機能し、スライダー本体内で材料の詰まりを低減する。
【００５５】
図１０ｄは、変形スライダー本体の後面図を示す。図１０ｄでは、変形スライダー本体
は、反転（すなわち上下逆）され、スライダー本体の後部末端（非ポスト端部）から示さ
れる。高さ３１１を有する突出部２９１は、プレート結合部２３２から下方かつ外方に突
出する。突出部２９１は、スライドファスナーの動作中ジッパーテープから離れる方向に
生地又は他の材料を移動させるために機能し、スライダー本体内で材料の詰まりを低減又
は防止する。底プレート２０８の下面は、後部末端から前端部まで角度３１３で下方に突
出する。図示のスライダー本体は、テープスロット２２３、結合部２２６、ロックピン２
０５、上プレート２０９、上サイドレール２１９及び底サイドレール２１８をさらに含む
。テープスロット２２３、高さ３１１及び角度３１３の寸法は、実施形態間で変更できる
。例えば、テープスロット２２３は、約０．０７６２乃至０．２２８６ｃｍ（約０．０３
０乃至０．０９０インチ）の間の高さを有し、いくつかの実施形態では、約０．１２７乃
至０．１５２４ｃｍ（約０．０５０乃至０．０６０インチ）の間の高さを有し、高さ３１
１は、約０．２５４乃至１．０１６ｃｍ（約０．１００乃至０．４００インチ）の間にす
ることができ、いくつかの実施形態では、約０．３０４８乃至０．３３０２ｃｍ（約０．
１２０乃至０．１３０インチ）の間にすることができ、角度３１３は、約８乃至３０度の
間にすることができ、いくつかの実施形態では、約１７乃至１９度の間（例えば、約１８
度）にすることができる。本明細書中に提供された範囲は、単に例示であり、限定される
ことを意図するものではない。
【００５６】
図１１ａは、ジッパーテープに連結された図１０ａの従来のスライダー本体を図示する
。前述のように、従来のスライダー本体は、スライダー本体で材料の詰まり及び引っかか
りを促す比較的長くて幅が狭いテープスロットを含む。
これに対し、図１１ｂは、様々な実施形態によるジッパーテープに連結された図１０ｂの
変形スライダー本体を図示する。オフセットされた上及び底サイドレール２１９／２１８
は、幅の広い領域によって挟まれた比較的短いテープスロットを提供し、付加的な生地／
材料（例えば、衣服の裏地）がスライダー本体に引っ張られる場合にジッパーテープ２１
０が（例えば、図示のようにポイント２４７において）垂直に変えることを許容する。ジ
ッパーテープ２１０は、付加的な材料を受け入れるためにシフトすることができるので、
上／底サイドレール２１９／２１８及び／又は上／底プレート２０９／２０８の部分（例
えば、網かけ部分２９３及び２９４）は、付加的な生地／材料がテープスロットの中に入
る前に付加的な生地／材料を離れる方向に押し出す。これは、付加的な生地／材料がテー
プスロットに入るのを防止するのに役立ち、変形スライダー本体の詰まりを防止するのに
役立つ。
図１１ｃに示されるように、変形スライダー本体のテープスロット、側面領域及びオフセ
ットされた上／底サイドレールの相対的な形状は、変形スライダー本体が回転しても付加
的な生地／材料の引っかかり又は詰まりを低減又は防止するのに十分であり、ジッパーテ
ープを角度でスライダー本体を通じて移動させる（矢印で示す回転されたスライダー本体
を通じたジッパーテープの軌跡）。いくつかの実施形態では、上記特徴は、余分な生地／
材料がテープスロットに意図的に導入される場合でも、変形スライダー本体で余分な生地
／材料の詰まりを防止する。いくつかの実施形態では、上及び底サイドレールのオフセッ
トは、変形スライダー本体の回転に対応するのに十分であり、回転があっても詰まり／引
っかかりを低減又は防止する。実施形態は、ジッパーテープから離れる方向に生地／材料
を移動させるように形状づけられた前方及び／又は下方に突出する突出部を含み、さらに
詰まり／引っかかりを防止又は低減する。前方に突出する突出部を有する実施形態では、
突出部は、スライドファスナーの動作中変形スライダー本体の前端部に先立って過度の生
地を移動させる事前鋤として機能する。
図１２は、様々な実施形態による動作中の平面に沿って回転された変形スライダー本体の
上面図を示す。領域２１７は、上サイドレール２１９及び底サイドレール２１８の重なり
（すなわちテープスロット）を示す。テープスロットから離れる方向に生地／材料を押し
出すように機能する上サイドレール２１９及び底サイドレール２１８の部分は、影領域と
して示される。図１２の上図に示されるように、変形スライダー本体の動作中、底サイド
レールは、ライニング層などの生地／材料をテープスロットから離れる方向に押し出す。
変形スライダー本体が左（図１２の中央図）又は右（図１２の下図）に水平面に沿ってね
じられると、上サイドレール２１９は、テープスロットから離れる方向に生地／材料を押
し出すように機能する。その結果、従来のスライダー本体は、動作中に水平方向にねじら
れたときに詰まり／引っかかりしやすいが、本明細書中に記載れた変形スライダー本体は
、引っかかり又は詰まりのリスクを増大しないで動作中水平方向にねじられることができ
る。いくつかの実施形態では、変形スライダー本体の水平方向のねじれ／回転は、底サイ
ドレール２１８及び上サイドレール２１９の両方の関与のせいで改善された反詰まり／引
っかかり機能を生じ、テープスロットから離れる方向に付加的な生地を押し出す。
上述のように、変形スライダー本体の実施形態は、寸法を変更できる。図１２に示された
例では、変形スライダー本体は、ジッパーテープに沿ったスライダー本体の動作方向に平
行な平面に沿った変形スライダー本体の最も広いポイントで左右に測定した幅３０５を有
する。また、変形スライダー本体は、幅３０５に平行に測定され、両側面のテープスロッ
トの前方端部間の変形スライダー本体の幅にほぼ等しい第２の幅３０３を有する。図１２
に示されるように、動作中のスライダー本体の水平方向の回転は、動作方向に沿った側面
領域の露呈を増大し、テープスロットから離れる方向に生地／材料の改善された突っ込み
／押し出しのための側面領域及び／又はサイドレールを配置する。
例えば、約０．１４７３２ｃｍ（約０．５０８インチ）の幅３０５、約１．０８９６６ｃ
ｍ（約０．４２９インチ）の第２の幅３０３、約０．２０３２ｃｍ（約０．０８０インチ
）によって上サイドレール２１９の前方にオフセットされた底サイドレール２１８を有す
るサイズ５のスライダー本体の実施形態では、スライダー本体の幅の約１５．６％（すな
わち、テープスロットを先立つ底サイドレール２０８の前部分を横切る）が、テープスロ
ットから離れる方向に材料を押し出すように配置される。他の例では、変形スライダー本
体の幅の約１０乃至２０％が、変形スライダー本体の水平方向のねじれの前にテープスロ
ットから離れる方向に材料を押し出すように配置される。比較すると、変形スライダー本
体がねじれると、変形スライダー本体の水平方向の回転は、外来性の生地／材料に対して
テープスロットの側面部分の露出を増加させる（図１２の中央図の露出部分が影付きを参
照）。例えば、（幅３０５と同様に測定された）対応する幅３０９は約１．３４３６６ｃ
ｍ（約０．５２９インチ）になり、（幅３０３と同様に測定された）対応する第２の幅３
０７は、約１．０８４５８ｃｍ（約０．４２７インチ）になり、（テープスロットを側面
に置く底サイドレール２１８と上サイドレール２１９の双方の部分を含む）変形スライダ
ー本体３０９の幅の約１９．３％が露呈され、外来性の生地／材料を離れる方向に押し出
すように配置される。他の例では、変形スライダー本体の幅の約１５乃至２５％が材料を
テープスロットから離れる方向に押し出すように配置される。いくつかの実施形態では、
変形スライダー本体の水平方向の回転は、露呈された変形スライダー本体の幅の割合を約
３乃至１０％まで増加することができる。
上述したように、これらの寸法は例示であり、限定されることを意図するものではない。
様々なサイズの変形スライダー本体は、実質的に同様の突出部を有し、及び／又は寸法は
、より大きな又はより小さな変形スライダー本体のサイズに応じて増減される。従って、
いくつかの実施形態では、底サイドレール２１８及び上サイドレール２１９の両方の関与
のせいで、上及び底サイドレール２１８／２１９のオフセットは、変形スライダー本体の
改善された性能及び水平方向のひねり／回転中の詰まり／引っかかりの低減を生じ、テー
プスロットから離れる方向に生地／材料を押し出す。
本明細書中に記載された実施形態は、変形スライダーキャップ、（例えば、より短いテー
プスロット２２３及び／又はプレート連結部２３２の変更のために）変更された質量の中
心、前方、上方、側方及び／又は下方に突出する突出部、テープスロット２３２の増加し
た高さ及び／又は減少した長さ及び／又はテープスロット２３２の一方又は両方の端部で
の側面領域、及び／又は上述した他の特徴の、単独で、または任意の組み合わせなどの一
つ、二つ、三つ、四つ又はそれ以上の反詰まり／反引っかかり特徴を含む。
特定の実施形態が図示され、本明細書中に説明されたが、多種多様な代替及び／又は同等
の実施形態または同じ目的を達成するために計画された装置が、特許請求の範囲から逸脱
しないで図示され説明された実施形態の代わりにされることができるということを当業者
によって理解されよう。当業者は、実施形態が多種多様の方法で時視されることができる
ことを容易に理解されるであろう。本出願は、本明細書中に記載された実施形態のあらゆ
る適合又は変形を包含することを意図するものである。従って、実施形態は、特許請求の
範囲又はそれらの等価物の範囲だけに限定されることを明示的に意図される。
【図１】
2014057881.tif 000003
【図２】
2014057881.tif 000004
【図３ａ】
2014057881.tif 000005
【図３ｂ】
2014057881.tif 000006
【図４ａ】
2014057881.tif 000007
【図４ｂ】
2014057881.tif 000008
【図４ｃ】
2014057881.tif 000009
【図５ａ】
2014057881.tif 000010
【図５ｂ】
2014057881.tif 000011
【図６】
2014057881.tif 000012
【図７】
2014057881.tif 000013
【図８ａ】
2014057881.tif 000014
【図８ｂ】
2014057881.tif 000015
【図８ｃ】
2014057881.tif 000016
【図８ｄ】
2014057881.tif 000017
【図８ｅ】
2014057881.tif 000018
【図８ｆ】
2014057881.tif 000019
【図８ｇ】
2014057881.tif 000020
【図８ｈ】
2014057881.tif 000021
【図８ｉ】
2014057881.tif 000022
【図８ｊ】
2014057881.tif 000023
【図９ａ】
2014057881.tif 000024
【図９ｂ】
2014057881.tif 000025
【図１０ａ】
2014057881.tif 000026
【図１０ｂ】
2014057881.tif 000027
【図１０ｃ】
2014057881.tif 000028
【図１０ｄ】
2014057881.tif 000029
【図１１ａ】
2014057881.tif 000030
【図１１ｂ】
2014057881.tif 000031
【図１１ｃ】
2014057881.tif 000032
【図１２】
2014057881.tif 000033
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
スライダー本体であって、
スライダー本体は、
上サイドレールを有する上プレートと、
上サイドレールに平行に配置された底サイドレールを有する底プレートと、
底サイドレールと上サイドレールとの間に配置されたテープスロットと、
テープスロットの第１端部と連通し、上プレートの下面と底サイドレールの上面との間に配置された第１側面領域と、
テープスロットの第２端部と連通し、底プレートの上面と上サイドレールの下面との間に配置された第２側面領域と、
上プレート及び底プレートに連結されたプレート結合部とを備える、スライダー本体。
【請求項２】
請求項１記載のスライダー本体において、
テープスロットの長さは、スライダー本体の長さの半分以下である、スライダー本体。
【請求項３】
請求項１記載のスライダー本体において、
テープスロットの長さは、プレート結合部の長さ以下である、スライダー本体。
【請求項４】
請求項１記載のスライダー本体において、
スライダー本体は、さらに、
上プレートと底プレートとの間に配置され、長さを有する接合部分を備え、
接合部分の長さは、テープスロットの長さよりも大きい、スライダー本体。
【請求項５】
スライダー本体であって、
スライダー本体は、
スライダーキャップに連結された上プレートと、
底プレートと、
上プレート及び底プレートに連結されたプレート結合部と、
上プレートと底プレートとの間に配置され、長さを有する接合部分とを備え、
スライダーキャップは、接合部分の長さの１５０％に等しい又はそれよりも大きい長さを有し、
底プレートは、底プレートの底面の少なくとも一部分に沿った下方に突出する突出部を備える、スライダー本体。
【請求項６】
スライダー本体であって、
スライダー本体は、
スライダーキャップに連結された上プレートと、
底プレートと、
上プレート及び底プレートに連結されたプレート結合部と、
上プレートと底プレートとの間に配置され、長さを有する接合部分とを備え、
スライダーキャップは、接合部分の長さの１５０％に等しい又はそれよりも大きい長さを有し、
底プレートは、底サイドレールを更に備え、上プレートは、上サイドレールを更に備え、底サイドレールは、上サイドレールに概ね平行に配置され、
スライダー本体は、さらに、
底サイドレールと上サイドレールとの間に配置されたテープスロットと、
テープスロットに隣接した第１及び第２の側面領域とを含み、
第１側面領域は、上プレートの下面と底サイドレールの上面との間に配置され、
第２側面領域は、底プレートの上面と上サイドレールの下面との間に配置される、スライダー本体。
【請求項７】
請求項６記載のスライダー本体において、
第１側面領域は、テープスロットの前方に配置され、
第２側面領域は、テープスロットの後方に配置される、スライダー本体。
【請求項８】
請求項６記載のスライダー本体において、
上サイドレールは、底サイドレールからオフセットされる、スライダー本体。
【請求項９】
請求項６記載のスライダー本体において、
スライダー本体は、さらに、
プレート連結部及び底プレートに結合された前方突出及び下方突出する突出部を備え、
前方突出及び下方突出する突出部は、スライダー本体の前方から外方に延び、かつ、底プレートの下方に延びる、スライダー本体。
【請求項１０】
スライダー本体であって、
スライダー本体は、
上プレートと、
底プレートと、
上プレート及び底プレートに連結されたプレート結合部と、
底プレート及びプレート結合部の少なくとも一つに連結された突出部とを備え、
突出部は、スライダー本体の前方部分から突出し、
突出部は、底プレート及びプレート結合部の少なくとも一つから側方に突出する、スライダー本体。
【請求項１１】
スライダー本体であって、
スライダー本体は、
上プレートと、
底プレートと、
上プレート及び底プレートに連結されたプレート結合部と、
底プレート及びプレート結合部の少なくとも一つに連結された突出部とを備え、
突出部は、スライダー本体の前方部分から突出し、
突出部は、底プレート及びプレート結合部の少なくとも一つから垂直方向に突出する、スライダー本体。
【請求項１２】
スライダー本体であって、
スライダー本体は、
上プレートと、
底プレートと、
上プレート及び底プレートに連結されたプレート結合部と、
底プレート及びプレート結合部の少なくとも一つに連結された突出部とを備え、
突出部は、スライダー本体の前方部分から突出し、
突出部は、底プレート及びプレート結合部の少なくとも一つから垂直方向及び側方の双方に突出する、スライダー本体。
【請求項１３】
スライダー本体であって、
スライダー本体は、
上プレートと、
底プレートと、
上プレート及び底プレートに連結されたプレート結合部と、
底プレート及びプレート結合部の少なくとも一つに連結された突出部とを備え、
突出部は、スライダー本体の前方部分から突出し、
底プレートは、底サイドレールを更に備え、上プレートは、上サイドレールを更に備え、底サイドレールは、上サイドレールの下方で上サイドレールに水平方向に平行に配置され、
スライダー本体は、さらに、
底サイドレールと上サイドレールとの間に配置されたテープスロットと、
テープスロットに連結された第１及び第２の側面領域とを含み、
第１側面領域は、上プレートの下面と底サイドレールの上面との間に配置され、
第２側面領域は、底プレートの上面と上サイドレールの下面との間に配置される、スライダー本体。
【請求項１４】
物品であって、
物品は、
対向するジッパーの歯要素を有するジッパーテープと、
ジッパーテープに連結されたスライダー本体とを備え、
スライダー本体は、
上サイドレールを有する上プレートと、
上サイドレールの下方で上サイドレールに水平方向に平行に配置された底サイドレールと、
底サイドレールと上サイドレールとによって画定されたテープスロットとを備え、
テープスロットの高さは、底サイドレールの上面と上プレートの下面との間の垂直方向の距離であり、
スライダー本体は、さらに、
上プレート及び底プレートに連結されたプレート結合部と、
上プレートと底プレートとプレート結合部との間に配置され、テープスロットの長さよりも大きい長さを有する接合部分とを備える、物品。
【請求項１５】
請求項１４記載の物品において、
物品は、更に、
プレート結合部に結合された前方に突出する突出部を備え、
突出部は、上プレートの少なくとも上面から底プレートの少なくとも下面まで垂直方向に延びる、物品。
【請求項１６】
請求項１４記載の物品において、
物品は、更に、
底プレートに結合された下方に突出する突出部を備える、物品。
【請求項１７】
請求項１６記載の物品において、
下方に突出する突出部は、さらに、底プレートから側方に延びる、物品。
【請求項１８】
請求項１４記載の物品において、
物品は、更に、
第１結合位置においてジッパーテープに連結された第１層及び第２層を備え、
第１層は、第２層上に配置される、物品。
【請求項１９】
請求項１８記載の物品において、
物品は、衣服であり、第１層及び第２層の少なくとも一方は、ファブリックからなる、物品。
【請求項２０】
請求項１９記載の物品において、
スライダー本体は、更に、解放可能なロックピンを備え、ロックピンは、ジッパーテープのジッパーの歯要素と係合するように形状づけられる、物品。
【外国語明細書】
2014057881000001.pdf